(57)【要約】【課題】鍵盤楽器の製造コストを抑えることができ、しかも、蝶番の破損を防止でき、機能性を高めることもできる角度調整具と、この角度調整具を備える鍵盤楽器を提供する。【解決手段】角度調整具１は、厚部１０を備えることにより、譜面台に加重がかけられても、その加重は厚部１０にかかって蝶番に力がかからないので、蝶番の破損を防止できる。また、角度調整具１は押し出し成型によって簡単に製造でき、また、譜面台を天板に回動可能に取り付けるための蝶番としては、１つ折りの一般的な蝶番を用いればよい。そのため、この角度調整具１を用いて鍵盤楽器を製造した場合、２つ折りの特殊な蝶番を２つ使う場合に比べ、その製造コストを極めて低く抑えることができる。しかも、この角度調整具１を用いて鍵盤楽器を製造した場合、譜面台の角度調整が可能となるので、鍵盤楽器の機能性を高めることができる。【選択図】  図１
2013250402.tif 000002
【特許請求の範囲】
【請求項１】
譜面台の角度調整具であって、
折りたたんだ１つ折りの蝶番の厚みを有し、平行に配置された一対の厚部と、
これら厚部の間に配置され、これら厚部の厚み方向に垂直な上面に対して窪められた中間部と、
を備え、
該中間部には、
前記譜面台を支える支え棒の一端を引っ掛けることが可能な複数の引掛部が、前記厚部の長手方向に沿って並設されていることを特徴とする角度調整具。
【請求項２】
請求項１に記載の角度調整具において
前記中間部の窪みの深さは、
前記支え棒の厚み以上の深さであることを特徴とする角度調整具。
【請求項３】
請求項１，２のいずれか１項に記載の角度調整具において、
前記中間部は、
複数の前記引掛部を形成するため複数の連続する波形状に形成されていることを特徴とする角度調整具。
【請求項４】
請求項１〜３のいずれか１項に記載の角度調整具において、
前記中間部には、
複数の前記引掛部が設けられた引掛部形成領域に対し、前記厚部の長手方向に沿った一端側に設けられ、前記支え棒の一端を前記引掛部形成領域に導く案内部が設けられている
ことを特徴とする角度調整具。
【請求項５】
請求項１〜４のいずれか記載の角度調整具において、
前記中間部には、
前記厚部の前記厚み方向の下端部よりも下方に突出した突出部が形成されており、当該角度調整具を取り付ける台置部に設けられた挿入孔に前記突出部を嵌め込んだときに、前記挿入孔の壁面に当接して、前記突出部の前記挿入孔内での位置を位置決めする位置決部が設けられていることを特徴とする角度調整具。
【請求項６】
請求項１〜５のいずれか１項に記載の角度調整具において、
前記厚部の上面の周囲は、曲面状に面取りされていることを特徴とする角度調整具。
【請求項７】
請求項１〜６のいずれか１項に記載の角度調整具が取り付けられた鍵盤楽器であって、
前記譜面台と、
前記譜面台を折りたたむ台置部と、
を備え、
前記角度調整具は、前記台置部に取り付けられ、
前記譜面台は、前記台置部に対し前記蝶番により折り畳み可能に形成され、
いずれかの前記引掛部に一端を引っ掛けて前記譜面台を支える支え棒は、前記譜面台の非演奏者側の面に折り畳み可能に取り付けられている
ことを特徴とする鍵盤楽器。
【発明の詳細な説明】
【技術分野】
【０００１】
本発明は、譜面台の角度調整具、及び、この角度調整具を備える鍵盤楽器に関する。
【背景技術】
【０００２】
現在、鍵盤楽器の製造においては、製造コストを抑える一方で、そのなかでどれだけ多くの機能を備えられるかが、製品開発の大きなテーマとなっている。
従来の鍵盤楽器１００は、図４に示すように、天板１９２上に伏せた譜面台１９０を、演奏者側に起こして立てかける構成において、図５（ａ）に示すような、２つの関節を有する特殊な蝶番１９９を用いていた。
【０００３】
この蝶番１９９は、天板１９２に取り付けられる第１部位１９９ａと、この第１部位１９９ａに対して回動可能に取り付けられ、譜面代１９０に取り付けられる第２部位１９９ｂと、さらに、この第２部位１９９ｂに対して回動可能に取り付けられた第３部位１９９ｃとからなっている。
【０００４】
また、第１部位１９９ａの自由端には、第３部位１９９ｃの自由端を引っ掛けるための突起１９９ｄが設けられている。
さらに、この蝶番１９９は、譜面台１９０を畳むとき、図６に示すように、第２部位１９９ｂと第３部位１９９ｃとの関節１９９ｅが第１部位１９９ａの突起１９９ｄの内側に配置されるよう、第２部位１９９ｂが、これに見合った長さに形成されている。第１部位１９９ａの突起１９９ｄの外側に関節１９９ｅがあると、譜面台１９０を畳んだときに、この関節１９９ｅが天板１９２に当たって傷つくからである。
【０００５】
この蝶番１９９を用いて譜面台１９０を天板１９２上で演奏者側に起こして立てかける場合、図５（ｂ）に示すように、第３部位１９９ｃの自由端を、第１部位１９９ａの自由端に設けられた突起１９９ｄに引っ掛け、これら第１部位１９９ａ〜第３部位１９９ｃが３角形状に配置されるよう固定することによって立てかけていた。
【先行技術文献】
【非特許文献】
【０００６】
【非特許文献１】カワイ教育用楽器機器総合カタログＰ４５商品名ＣＡ９３（２０１２年３月発行）
【発明の概要】
【発明が解決しようとする課題】
【０００７】
しかし、上述した蝶番１９９は、２つの関節を有するなど複雑な構成をしており、しかも、鍵盤楽器を組み立てる際、この特殊な蝶番１９９が２つ必要なので、製造コストが上昇するという問題があった。
【０００８】
しかも、上述した蝶番１９９では譜面台１９０の角度調整ができなかった。
さらに、上述した譜面台１９０を畳んだときに譜面台１９０に上から加重がかけられると、蝶番１９９が破損してしまう可能性があった。
【０００９】
そこで、本発明では、鍵盤楽器の製造コストを抑えることができ、しかも、蝶番の破損を防止でき、機能性を高めることもできる角度調整具と、この角度調整具を備える鍵盤楽器を提供することを目的とする。
【課題を解決するための手段】
【００１０】
上記目的を達成するための請求項１に記載の譜面台の角度調整具は、折りたたんだ１つ折りの蝶番の厚みを有し、平行に配置された一対の厚部と、これら厚部の間に配置され、これら厚部の厚み方向に垂直な上面に対して窪められた中間部と、を備え、該中間部には、譜面台を支える支え棒の一端を引っ掛けることが可能な複数の引掛部が、前記厚部の長手方向に沿って並設されていることを特徴とする。
【００１１】
この角度調整具を用いて鍵盤楽器を組み立てる場合、例えば、この角度調整具を、譜面台の台置部となる天板上に取り付け、譜面台を一つ折りの蝶番で天板に対し折り畳み可能に取り付け、譜面台を立てかけるときは、角度調整具のいずれかの引掛部に支え棒の一端を引っ掛け、この支え棒の他端で譜面台を支える構成とする。
【００１２】
本発明の角度調整具を用いて鍵盤楽器を製造した場合、厚部が、一つ折りの蝶番を折りたたんだ時の厚みを有しているので、譜面台に加重がけられても、この厚部が譜面台を支えて蝶番が破損することを防止することができる。
【００１３】
また、本発明の角度調整具を用いて鍵盤楽器を製造した場合、特殊な部材として、本発明の角度調整具を用いねばならないが、この角度調整具は押し出し成型によって簡単に製造でき、しかも、上述した関節部を２箇所も有する特殊な蝶番に比べ製造コストは極めて低い。また、この角度調整具を用いて鍵盤楽器を組み立てる場合、蝶番も１つ折りの一般的な蝶番でよく、支え棒も棒状の簡単な構成である。従って、本発明の角度調整具を用いて鍵盤楽器を製造する場合、上述した特殊な蝶番を使う場合に比べ、その製造コストを極めて低く抑えることができる。
【００１４】
しかも、本発明の角度調整具を用いて鍵盤楽器を製造すると、従来の鍵盤楽器に比べると製造コストを抑えつつも、譜面台の角度調整が可能となるので、鍵盤楽器の機能性を高めることもできる。
【００１５】
尚、譜面台が設置される場所は、天板以外の場所でもよいことはもちろんである。
次に、請求項２に記載したように、角度調整具の中間部の窪みの深さは、支え棒の厚み以上の深さであるとよい。
【００１６】
このようにすると、例えば、支え棒を譜面台の裏面（非演奏者側）に回動可能に取り付けたときに、この譜面台を台置部に畳む場合、支え棒を中間部に嵌るように配置すれば、支え棒が譜面台と厚部との間に挟まれ破損することを防止できる。
【００１７】
尚、請求項３に記載したように、角度調整具の中間部は、複数の引掛部を形成するため複数の連続する波形状に形成されていてもよいが、これに限られるものではない。
次に、請求項４に記載したように、角度調整具の中間部には、複数の引掛部が設けられた引掛部形成領域に対し、厚部の長手方向に沿った一端側に設けられ、支え棒の一端を引掛部形成領域に導く案内部を設けてもよい。
【００１８】
この角度調整具が設置される場所は、演奏者側からは譜面台に隠れた部分になるので、支え棒の一端をいずれかの引掛部に引っかかるようにして立てかけるのは難しい。
そこで、本願発明では上述した案内部を設け、譜面台を立てかける際には、支え棒の一端を案内部に載せさえすれば、その後は譜面台を移動させることによって、支え棒が案内部に案内されて自動的に引掛部に引っかかるよう構成した。
【００１９】
このようにすることで、譜面台を引掛部に引っ掛けて立てかける作業が、非常に簡単になる。
次に、請求項５に記載した角度調整具のように、中間部には、厚部の厚み方向の下端部よりも下方に突出した形状に形成された突出部が形成されている場合、角度調整具を取り付ける台置部に設けられた挿入孔に突出部を挿入したときに、挿入孔の壁面に当接して、突出部の挿入孔内での位置を位置決めする位置決部が設けられていることが好ましい。
【００２０】
このようにすると、台置部に形成された挿入孔に突出部を嵌め込んだ時に、角度調整具の台置部に対する位置が安定するので、精度よく角度調整具を台置部に配置することができる。
【００２１】
尚、請求項６に記載した角度調整具のように、厚部の上面の周囲は、曲面状に面取りしてもよい。このようにすると、厚部に何かが引っかかって、角度調整具が台置部から外れてしまうことを極力防止することができる。
【００２２】
次に、請求項７に記載したように、請求項１〜６のいずれか１項に記載の角度調整具が取り付けられた鍵盤楽器であって、譜面台と、この譜面台を折りたたむ台置部と、を備え、角度調整具は台置部に取り付けられ、譜面台は、台置部に対し蝶番により折り畳み可能に形成され、いずれかの引掛部に一端を引っ掛けて譜面台を支える支え棒は、譜面台の非演奏者側の面に折り畳み可能に取り付けられていることを特徴とする。
【００２３】
この鍵盤楽器は、上述した角度調整具を用いることで、背景技術の欄で説明した特殊な蝶番を用いて製造した場合に比べ、製造コストを抑えることができ、しかも、蝶番の破損を防止でき、譜面台の角度調整という機能性をも高めることもできる。
【図面の簡単な説明】
【００２４】
【図１】本実施形態の角度調整具の説明図で、（ａ）は平面図、（ｂ）は背面図、（ｃ）は側面図である。
【図２】本実施形態の角度調整具を取り付けた電子ピアノの譜面台を天板に対して折り畳んだ様子を、角度調整具の左右の幅方向中央を通る前後方向に沿った断面で示した断面図である。
【図３】本実施形態の角度調整具を取り付けた電子ピアノの天板及び譜面台部分の斜視図である。
【図４】従来の蝶番を用いて、譜面台を天板に取り付けた様子を示す図である。
【図５】従来の鍵盤楽器で用いられていた蝶番の斜視図で、（ａ）は第３部材を第１部材に組み付ける前の様子、（ｂ）は第３部材を第１部材に組み付けた時の様子を示している。
【図６】従来の蝶番を折りたたんだ様子を示す、蝶番の側面図である。
【発明を実施するための形態】
【００２５】
以下に本発明の実施形態を図面と共に説明する。
尚、本実施形態では、演奏者側を前方とし、演奏者から見た右側を右方、左側を左方として説明する。
［角度調整具］
本実施形態の角度調整具１は、電子ピアノの譜面台の角度調整に用いられる部材であり、図１（ａ）（ｂ）に示すように、主に、１対の厚部１０と、中間部２０とを有している。
【００２６】
厚部１０は、後述する１つ折りの一般的な蝶番を折り畳んだときの厚みと同じかあるいはそれ以上の厚みを有し、一定の間隔をおいて平行に配置されている。
また、この厚部１０の上面１０ａの周囲は、曲面状に面取りされている。
【００２７】
次に、中間部２０は、これら厚部１０の中間に配置され、図１（ｂ）に示すように、これら厚部１０の厚み方向に垂直な上面１０ａに対して窪められた形状に形成されている。この窪みは、図２に示すように、後述する支え棒９３の厚み以上の深さとなるように形成され、この支え棒９３を譜面台９０に対して折り畳み、その譜面台９０を天板９２に対して折りたたんだときに、支え棒９３がこの窪み部分に配置されるようにされている。
【００２８】
中間部２０には、図１（ａ）に示すように、厚部１０の長手方向に沿って複数の引掛部２０ａが設けられており、この中間部２０は、これら複数の引掛部２０ａのため複数の連続する波形状に形成されている。
【００２９】
中間部２０には、図１（ｃ）に示すように、引掛部２０ａを形成するため、厚部１０の厚み方向の下端部よりも下方に突出した突出部２１が形成されている。
この突出部２１の後端側には、図２に示すように、この角度調整具１を取り付ける天板に設けられた後述する挿入孔９２ａに挿入したときに、この挿入孔９２ａの壁面に当接して、突出部２１の挿入孔９２ａ内での位置を位置決めする位置決部材２１ａが設けられている。
【００３０】
また、この中間部２０のうち、図１（ａ）に示すように、複数の引掛部２０ａが設けられた部分（本発明の引掛部形成領域に相当）の演奏者側（厚部１０の長手方向に沿った一端側）には、支え棒９３を引掛部２０ａに案内する案内部２２が設けられている。
［電子ピアノ］
次に、上述した角度調整具を用いて組み立てられる電子ピアノ９について説明する。
【００３１】
上述した角度調整具１を用いて電子ピアノ９を組み立てる場合、まず、譜面台９０を設置する天板９２のうち、この角度調整具１が取り付けられる部分に挿入孔９２ａ（図２参照）を形成する。
【００３２】
そして、上述した角度調整具１の突出部２１が挿入孔９２ａ内に挿入されるようにして、この角度調整具１を天板９２に取り付け、この状態で挿入孔９２ａ内に接着用のペースト材を注入して、角度調整具１を天板９２に固定する。
【００３３】
この突出部２１を挿入孔９２ａに挿入するときに、位置決部材２１ａを挿入孔９２ａの後方側の壁面に当接させて、挿入孔９２ａに対する角度調整具１の位置を正確に位置決めすることで、角度調整具１を天板９２に対して予定された位置に正確に取り付けることができる。
【００３４】
そして、譜面台９０については、広く流通している一つ折りの蝶番９１を二つ用いて、天板９２に対して折り畳み可能に取り付けられる。
また、譜面台９０の非演奏者側の面には、角度調整具１のいずれかの引掛部に一端を引っ掛けて譜面台を支える支え棒９３の他端が、譜面台に対して蝶番９４を用いて折り畳み可能に取り付けられる。
［使用方法］
以上説明したように構成された電子ピアノ９を使用するときは、図３に示すように、支え棒９３の一端を案内部２２上に載せ、譜面台９０を後方側に倒すと、支え棒９３の一端が演奏者側の引掛部２０ａに引っ掛かって、譜面台９０が天板９２上に立てかけられる。
【００３５】
そして、譜面台９０の角度を調整したい場合は、譜面台９０をやや起こして引掛部２０ａに引っ掛かっている支え棒９３をはずし、引掛部２０ａから支え棒９３が引っ掛けられる引掛部２０ａの位置を変えればよい。
［本実施形態の特徴的な作用効果］
本実施形態の電子ピアノ９では、角度調整具１のいずれかの引掛部２０ａに支え棒の一端を引っ掛ければ、天板９２に対して譜面台９０を角度調整可能に立てかけることができる。
【００３６】
本実施形態の電子ピアノ９では、角度調整具１の厚部１０が、一つ折りの蝶番９１を折りたたんだ時の厚みを有しており、そのため、譜面台９０を天板９２に対して折り畳んだときに、譜面台９０に加重がけられても、この厚部１０が譜面台９０を支えるので、蝶番９１が破損することを防止することができる。
【００３７】
また、本実施形態の電子ピアノ９は、角度調整具１については押し出し成型によって簡単に製造できる。また、本実値形態の電子ピアノ９は、角度調整具１を用いることで、１つ折りの一般的な蝶番９１を用いることができ、支え棒９３も棒状の簡単な構成である。従って、本実施形態の電子ピアノ９のように、角度調整具１を用いて組み立てれば、背景技術の欄で記載した特殊な蝶番を使う場合に比べ、その製造コストを極めて低く抑えることができる。
【００３８】
しかも、本実施形態の電子ピアノ９は、角度調整具１を用いることで、譜面台９０の角度調整が可能となるので、電子ピアノ９の機能性を高めることができる。
また、本実施形態で用いられる角度調整具１は、中間部２０の窪みの深さが、支え棒９３の厚み以上の深さである。また、この譜面台９０を天板９２に畳む場合、支え棒９３は中間部２０の窪み部分に配置される。そのため、支え棒９３は、譜面台９０と厚部１０との間に挟まれ破損することを防止できる。
【００３９】
本実施形態の角度調整具１は、支え棒９３の一端を引掛部２０ａに導く案内部２２を備えており、譜面台９０を立てかける際には、支え棒９３の一端を案内部２２に載せさえすれば、その後は譜面台を移動させるだけで、支え棒９３が案内部２２に案内されて自動的に引掛部２０ａに引っかけることができる。そのため、本実施形態の電子ピアノ９では、譜面台９０を引掛部２０ａに引っ掛けて立てかける作業が、非常に簡単になる。
【００４０】
また、本実施形態の角度調整具１は、厚部１０の上面の周囲が、曲面状に面取りされているので、厚部１０に何かが引っかかって、角度調整具１が台置部から外れてしまうことを極力防止することができる。
【００４１】
また、本実施形態の角度調整具１では、突出部２１を挿入孔９２ａに嵌め込んだとき、厚部１０がその挿入孔９２ａを隠す。これによって、挿入孔９２ａを天板９２に設けても電子ピアノ９の見た目をよくすることができる。
【００４２】
尚、本実施形態では、電子ピアノ９について説明したが、角度調整具１は、アコースティックピアノその他の鍵盤楽器で用いることができることはもちろんである。
また、引掛部２０ａの深さを浅くすることによって突出部２１が形成されないように角度調整具１を形成した場合は、その角度調整具１を天板９２上に直づけしてもよい。
（結び）
本発明は、特許請求の範囲に記載された発明の趣旨に合致するものであればよく、上述の実施形態に限定されるものではない。
【符号の説明】
【００４３】
１… 角度調整具  ９… 電子ピアノ  １０… 厚部  １０ａ… 上面  ２０… 中間部
２０ａ… 引掛部  ２１… 突出部  ２１ａ… 位置決部材  ２２… 案内部
９０… 譜面台  ９１… 蝶番  ９２… 天板  ９２ａ… 挿入孔  ９３… 支え棒
９４… 蝶番
【図１】
2013250402.tif 000003
【図２】
2013250402.tif 000004
【図３】
2013250402.tif 000005
【図４】
2013250402.tif 000006
【図５】
2013250402.tif 000007
【図６】
2013250402.tif 000008